(57)【要約】      （修正有）【課題】インク滴の体積を、紙粉や塵埃等によって、誤検知しない検知装置の提供。【解決手段】インク滴がレーザ光を交差した際に発生する散乱光を受光する受光手段と、レーザ光がフォトダイオード６６を照射することを遮るマスク６７とを有する。検出装置は、フォトダイオード６６で受光された前方散乱光の受光量に基づいてインク滴の体積を決定する。これにより、インク滴以外の物質が光線を遮った場合に、光線の遮断が誤検知されて、インク滴の体積を誤って算出してしまうことを防げるという効果を奏する。【選択図】図５
2013063601.tif 000002
【特許請求の範囲】
【請求項１】
液滴を吐出する吐出手段と、
前記吐出手段によって吐出された前記液滴の経路と交差するようにレーザ光を発光する発光手段と、
前記レーザ光の光軸と交差するように配置され、前記液滴が前記レーザ光を交差した際に発生する前方散乱光を受光する受光手段と、
前記レーザ光が前記受光手段を照射することを遮る遮光手段と、
前記受光手段で受光された前記前方散乱光の受光量に基づいて前記液滴の液量を決定する決定手段と、を備えたことを特徴とする液量決定装置。
【請求項２】
前記遮光手段が、前記受光手段上に設けられたことを特徴とする請求項１に記載の液量決定装置。
【請求項３】
前記遮光手段が、前記レーザ光を吸収する材料を有することを特徴とする請求項１又は２に記載の液量決定装置。
【請求項４】
液滴を吐出する吐出手段と、
前記吐出手段によって吐出された前記液滴の経路と交差するようにレーザ光を発光する発光手段と、
前記レーザ光が通過する通過部が形成され、前記液滴が前記レーザ光を交差した際に発生する前方散乱光を受光する受光手段と、
前記受光手段で受光された前記前方散乱光の受光量に基づいて前記液滴の液量を決定する決定手段と、を備えたことを特徴とする液量決定装置。
【請求項５】
請求項１乃至４のいずれか一項に記載の液量決定装置を備えたことを特徴とするインクジェット記録装置。
【請求項６】
液滴を吐出する吐出工程と、
前記吐出工程によって吐出された前記液滴の経路と交差するようにレーザ光を発光する発光工程と、
前記レーザ光の光軸と交差するように配置された受光手段で、前記レーザ光を受光せず、前記液滴が前記レーザ光を交差した際に発生する前方散乱光を受光する受光工程と、
前記受光工程で受光された前記前方散乱光の受光量に基づいて前記液滴の液量を決定する決定工程と、を有することを特徴とする液量決定方法。
【請求項７】
液滴を吐出する吐出工程と、
前記吐出工程によって吐出された前記液滴の経路と交差するようにレーザ光を発光する発光工程と、
前記レーザ光が通過する通過部が形成された受光手段で、前記液滴が前記レーザ光を交差した際に発生する前方散乱光を受光する受光工程と、
前記受光工程で受光された前記前方散乱光の受光量に基づいて前記液滴の液量を決定する決定工程と、を有することを特徴とする液量決定方法。
【発明の詳細な説明】
【技術分野】
【０００１】
本発明は、吐出された液滴の液量を決定する液量決定装置に関する。
【背景技術】
【０００２】
従来、プリンタ、ファクシミリ、複写装置、プロッタ、これらの複合機等の画像形成装置の一つとして、インクジェット記録装置が知られている。インクジェット記録装置は、搬送された用紙に対してノズルからインク滴を吐出することによって、用紙に文字や図形等の画像を記録する。
【０００３】
インクジェット記録装置においては、ノズルからの溶媒の蒸発に起因するインクの粘度の上昇や固化、或いは、ノズルへの塵埃の付着等が発生すると、ノズルから吐出されるインク滴の体積が小さくなる場合がある。インク滴の体積が小さくなった状態で記録すると、画像に隙間が生じてしまい、画像品質が低下することとなる。
【０００４】
そこで、吐出されたインク滴の体積を算出し、算出された体積等に基づいてインク滴を吐出するノズルの駆動波形を調整するインクジェット記録装置が提案されている（特許文献１）。このインクジェット記録装置は、所定時間毎にインク滴が光線を遮る量を測定し、測定結果からインク滴の吐出方向における断面形状を求めると共に、インク滴の吐出方向と直角な方向のインク滴の断面を円形と仮定してインク滴の体積を算出する。
【０００５】
また、光軸がインク滴吐出口の配列面に略平行となるように光源と光センサーを配置した検出手段を備え、光束中に液滴を吐出した際の検出手段の検出信号をもとに、インク滴の吐出状態を判定する液滴検出装置が提案されている（特許文献２）。この液滴検出装置は、インク滴検出信号から、出力信号の落ち込み量を検出し、この落ち込み量を用いて液滴サイズを算出する。
【発明の概要】
【発明が解決しようとする課題】
【０００６】
しかしながら、従来の方法により、インク滴が光線を遮る量に基づいてインク滴の体積を算出した場合には、紙粉や塵埃等が光線を遮ることによって、光線の遮断を誤検知してしまうことがあった。即ち、従来の装置を用いた場合には、インク滴以外の物質が光線を遮った場合に、光線の遮断が誤検知されて、インク滴の体積を誤って算出してしまうという課題があった。
【課題を解決するための手段】
【０００７】
請求項１に係る発明は、液滴を吐出する吐出手段と、前記吐出手段によって吐出された前記液滴の経路と交差するようにレーザ光を発光する発光手段と、前記レーザ光の光軸と交差するように配置され、前記液滴が前記レーザ光を交差した際に発生する前方散乱光を受光する受光手段と、前記レーザ光が前記受光手段を照射することを遮る遮光手段と、前記受光手段で受光された前記前方散乱光の受光量に基づいて前記液滴の液量を決定する決定手段と、を備えたことを特徴とする液量決定装置である。
【０００８】
請求項４に係る発明は、液滴を吐出する吐出手段と、前記吐出手段によって吐出された前記液滴の経路と交差するようにレーザ光を発光する発光手段と、前記レーザ光が通過する通過部が形成され、前記液滴が前記レーザ光を交差した際に発生する前方散乱光を受光する受光手段と、前記受光手段で受光された前記前方散乱光の受光量に基づいて前記液滴の液量を決定する決定手段と、を備えたことを特徴とする液量決定装置である。
【０００９】
請求項６に係る発明は、液滴を吐出する吐出工程と、前記吐出工程によって吐出された前記液滴の経路と交差するようにレーザ光を発光する発光工程と、前記レーザ光の光軸と交差するように配置された受光手段で、前記レーザ光を受光せず、前記液滴が前記レーザ光を交差した際に発生する前方散乱光を受光する受光工程と、前記受光工程で受光された前記前方散乱光の受光量に基づいて前記液滴の液量を決定する決定工程と、を有することを特徴とする液量決定方法である。
【００１０】
請求項７に係る発明は、液滴を吐出する吐出工程と、前記吐出工程によって吐出された前記液滴の経路と交差するようにレーザ光を発光する発光工程と、前記レーザ光が通過する通過部が形成された受光手段で、前記液滴が前記レーザ光を交差した際に発生する前方散乱光を受光する受光工程と、前記受光工程で受光された前記前方散乱光の受光量に基づいて前記液滴の液量を決定する決定工程と、を有することを特徴とする液量決定方法である。
【発明の効果】
【００１１】
以上説明したように本発明によれば、液量決定装置は、液滴がレーザ光を交差した際に発生する前方散乱光を受光し、受光された前方散乱光の受光量に基づいて液滴の液量を決定する。液量決定装置は、レーザ光を遮る量に基づいて液滴の量を算出しないので、液滴以外の物質が光線を遮った場合に、光線の遮断が誤検知されて、液量を誤って算出してしまうことを防げるという効果を奏する。
【図面の簡単な説明】
【００１２】
【図１】本発明の一実施形態に係る検知装置を備えたインクジェット記録装置の模式図である。
【図２】本発明の一実施形態に係る検知装置を備えたインクジェット記録装置の印刷位置の近傍を側面から見た模式図である。
【図３】本発明の一実施形態に係る検知装置を備えたインクジェット記録装置の印刷位置の近傍を上面から見た模式図である。
【図４】図３の一断面（Ａ−Ａ）を示した断面図である。
【図５】インクジェット記録装置の印刷位置に配置された本発明の一実施形態に係る検知装置の模式図である。
【図６】受光ユニットのフォトダイオードの模式図である。
【図７】受光ユニットの受光部回路を示すブロック図である。
【図８】本実施形態のインクジェット記録装置の制御部を説明するためのブロック図である。
【図９】液量決定の処理方法を示した処理フロー図である。
【図１０】検知波形の模式図である。
【図１１】粒径と散乱光の強度の関係を示した説明図である。
【図１２】検知波形の模式図である。
【図１３】インクジェット記録装置の印刷位置に配置された比較例に係る検知装置の模式図である。
【図１４】比較例に係る検知装置の受光ユニットの検知波形である。
【図１５】フォトダイオードの他の例を示す模式図である。
【発明を実施するための形態】
【００１３】
＜＜実施形態の全体構成＞＞
以下、図面を用いて、本発明の一実施形態について説明する。まずは、図１乃至図４を用いて本実施形態の全体構成を説明する。図１は、本発明の一実施形態に係る検知装置を備えたインクジェット記録装置の模式図である。図２は、本発明の一実施形態に係る検知装置を備えたインクジェット記録装置の印刷位置の近傍を側面から見た模式図である。図３は、本発明の一実施形態に係る検知装置を備えたインクジェット記録装置の印刷位置の近傍を上面から見た模式図である。図４は、図３の一断面（Ａ−Ａ）を示した断面図である。
【００１４】
図１に示すインクジェット記録装置１は、ラインプリンタとも呼ばれ、印字幅分のヘッドを配置することにより、搬送された記録媒体の一例としての用紙に記録するように構成されている。図１に示されているように、インクジェット記録装置１は、記録媒体の一例としての用紙を積載し給紙する給紙ユニット１０と、給紙された用紙を搬送する搬送ユニット２０と、搬送中の用紙に液滴の一例としてのインク滴を吐出して画像を形成するヘッドユニット３０と、画像が形成された用紙を積載する排紙トレイを備えた排紙ユニット４０と、ヘッドユニット３０を維持する維持ユニット５０と、液滴の一例としてのインク滴を検知する検知装置６０と、インクジェット記録装置１の全体の動作を制御する制御部７０と、を備えている。
【００１５】
給紙ユニット１０は、用紙を積載する給紙トレイと、給紙カセットに積載された用紙を一枚ずつ給紙する給紙ローラを備えている。給紙トレイは、様々な用紙のサイズに適用できるよう構成されている。この給紙トレイに用紙をセットした際に用紙のサイズと用紙の方向（縦・横）とを判別できるように、また用紙切れや給紙時のエラーを検知できるように、給紙ユニット１０はセンサを備えていても良い。
【００１６】
ヘッドユニット３０は、インクを吐出するヘッド３１と、ヘッド３１にインクを供給するため不図示のサブタンクと、チューブを介してサブタンクにインクを補充供給する不図示のインクカートリッジとを備えている。
【００１７】
ヘッド３１にはノズルが設けられており、このノズルから、例えば、イエロー、シアン、マゼンタ、ブラックの各色のインクを吐出する。本実施形態では、ヘッド３１は、ピエゾ素子を有している。このピエゾ素子は、ヘッド３１に供給されたインクを加圧する。これにより、ヘッド３１はノズルからインク滴が吐出する。吐出されるインク滴のサイズは、ピエゾ素子の駆動波形に基づいて変えられる。なお、ヘッド３１は、複数の小滴を連続して吐出して、これらをマージさせることにより、大きいサイズの液滴を形成することもできる。
【００１８】
本実施形態では、複数のヘッド３１は、インク吐出方向が下向きとなるよう、千鳥格子状に並べて配置されている（図３参照）。ヘッドユニット３０は、必ずしも複数のヘッドを備えている必要はなく、ラインヘッドとしての１つのヘッドを備えたものであっても良い。また、インク色の数、及び、ヘッド３１の用紙搬送方向に対しての配列順序は、上記の構成に限定されない。なお、ヘッドユニット３０は、インクカートリッジ内のインクをサブタンクに供給するために、インクカートリッジの装填部に供給ポンプユニットを備えていても良い。
【００１９】
ヘッドユニット３０は、不図示のモータによって駆動され、用紙の搬送ユニット２０上の位置（印刷位置）と維持ユニット５０上の位置との間を移動する（図１参照）。この場合、ヘッドユニット３０は、印刷を開始する際に搬送ユニット２０上の印刷位置に移動する。また、ヘッドユニット３０は、印刷を終了した際や、電源を遮断する際、ヘッド３１のクリーニング動作を行う際などに維持ユニット５０上の位置に移動する。
【００２０】
維持ユニット５０はキャップを備え、維持ユニット５０上に移動したヘッドユニット３０のヘッド３１をキャップする。これにより、維持ユニット５０は、ヘッド３１のノズル開口部からのインクの乾燥を防止する。
【００２１】
搬送ユニット２０は、駆動ローラ２１と従動ローラ２２からなるローラと、これらのローラ間に掛け渡された無端状の搬送ベルト２３と、用紙を吸引する吸引ファン２４と、空吐出されたインクを収容する廃液ユニット２５と、を備えている。
【００２２】
搬送ベルト２３は、駆動ローラ２１が不図示のモータにより回転することで周回移動する。ヘッド３１と搬送ベルト２３との間隔（ギャップ）は、特に限定されないが、１ｍｍ程度とすることができる。また、搬送ベルト２３には、ヘッドユニット３０のヘッド３１の配列パターンに対応して複数の吸引孔２６が千鳥格子状に形成されている（図３参照）。この吸引孔２６は、搬送ベルト２３の全周に渡り均等に配置されている。これにより用紙は、搬送ベルト２３上に吸引ファン２４により吸い付けられ、搬送ベルト２３の周回移動によって一枚毎に搬送される。なお、吸引孔２６の形状としては、特に限定されないが、用紙を正確に搬送するために通常円形である。
【００２３】
インクジェット記録装置１が連続印刷する場合には、搬送ユニット２０による用紙の搬送速度と、給紙ユニット１０による用紙の給紙速度が制御部７０によって共に制御される。これにより、用紙サイズや印刷速度に応じて、搬送される用紙の間隔が調整される。なお、印刷された用紙は、排紙ユニット４０に排紙され排紙トレイに蓄積される。
【００２４】
廃液ユニット２５は、搬送ベルト２３の吸引孔２６を解してヘッド３１から空吐出されたインクを収容する廃液トレイと、廃液トレイに収容されたインクが所定の容量の限度に達したことを検知するセンサとを備えている。これにより、ユーザはセンサの検知に基づいて廃液トレイのインクを廃液として捨てることができる。
【００２５】
検知装置６０は、図３の用紙の搬送方向Ｐに対して左手側に配置されたレーザ光を発光する発光ユニット６１と、搬送方向Ｐに対して右手側に配置された受光ユニット６２とを備えている。本実施形態では、用紙の搬送方向Ｐと垂直に配置されたヘッド３１の各列に対応して８組の検知ユニットが備えられている。
【００２６】
制御部７０は、インクジェット記録装置１の全体の動作を制御する。このため、制御部７０は、後述のＣＰＵ（Central Processing Unit）や、ＲＯＭ（Read Only Memory）及びＲＡＭ（Random Access Memory）等の記憶装置を備えている。
【００２７】
＜検知装置の構成＞
続いて、図５乃至図７を用いて検知装置６０の構成を説明する。図５は、インクジェット記録装置の印刷位置に配置された本発明の一実施形態に係る検知装置の模式図である。図６は、受光ユニットのフォトダイオードの模式図である。図７は、受光ユニットの受光部回路を示すブロック図である。
【００２８】
検知装置６０の各検知ユニットは、図５に示すように、レーザ光を照射し、ヘッド３１のノズルから吐出されたインク滴Ｔがレーザ光を交差した際に発生する前方散乱光を検知する。発光ユニット６１は、ヘッド３１から吐出されたインク滴Ｔの経路と交差するようにレーザ光を発光する。このため、発光ユニット６１は、発光素子としてのレーザダイオード６３と、レーザダイオード６３の近傍に配置されレーザ光を集光するコリメートレンズ６４と、レーザ光のビーム径を絞るためのアパーチャ６５とを備える。アパーチャ６５の形状は、用途に応じて決定され特に限定されないが、本実施形態では円状の穴が空いたものが用いられている。
【００２９】
受光ユニット６２は、発光ユニット６１から発光されたレーザ光の光軸Ｘと垂直に交差するように配置され、インク滴Ｔがレーザ光を交差した際に発生する前方散乱光を受光するフォトダイオード６６と、レーザ光がフォトダイオード６６を照射することが遮るマスク６７と、フォトダイオード６６によって出力された電流を電圧に変換する受光部回路６８が設けられている。なお、発光ユニット６１と受光ユニット６２とは、通常、取付用の治具等を用いて、発光ユニット６１から発光されるレーザ光の光軸を調整しながら精度よく取り付けられる。また、フォトダイオード６６は、前方散乱光を検知することが可能であれば、必ずしも光軸Ｘと垂直に交差しなくても良い。
【００３０】
フォトダイオード６６は、発光ユニット６１の発光するレーザ光のビーム径よりも大きいものであれば良く、用途に応じて公知のものが用いられる。本実施形態において、レーザ光の受光面でのビーム径は、特に限定されないが、０．５ｍｍ以下である。また、本実施形態においてフォトダイオード６６の大きさは、特に限定されないが、５ｍｍ×５ｍｍ以下である。
【００３１】
フォトダイオード６６の受光面の中心部の上面には、図６に示されるように、レーザ光を遮光するためのマスク６７が設けられている。マスク６７の部材は、好ましくは、レーザ光を反射せず吸収する黒色の部材である。これによりレーザ光の反射や外乱によって発生する検知の誤差を抑制することができる。
【００３２】
マスク６７の面積は、レーザ光の受光面でのビーム径に基づいて適宜選択されるが、通常ビーム径より１ｍｍ〜１．５ｍｍ大きい長さの辺を有する正方形とすることができる。なお、本実施形態では、マスク６７の形状は、正方形としたが、同様の径を有する多角形又は円であっても良い。発光ユニット６１は、このマスク６７された部分にレーザ光を照射する。これによりフォトダイオード６６は、マスク６７された部分以外の受光部で前方散乱光を検知する。この場合、フォトダイオード６６は、光軸に対して垂直な面の全方向の前方散乱光を検知できるので、レーザ光の出力が小さくても高い精度でインク滴Ｔを検知することができる。
【００３３】
図７に示すように、受光ユニット６２の受光部回路６８は、電流−電圧変換部と、ハイパスフィルタと、ローパスフィルタとを有する。電流−電圧変換部は、フォトダイオード６６から前方散乱光の受光量に基づいて出力された電流を、電流−電圧変換すると共に増幅する。ハイパスフィルタとローパスフィルタは、フォトダイオードによって検知された信号に含まれる必要のない周波数帯を削除して検知波形を得る。出力された検知波形は、所定のレベルになるまでオペアンプにより増幅される。検知装置６０は、前方散乱光の受光量に基づいて、電気的にインク滴Ｔを検知することが可能となる。
【００３４】
受光部回路６８から出力された検知波形は、インク滴Ｔの液量の決定に用いられる。本実施形態において、液量にはインク滴Ｔの体積や径、質量等が含まれる。これにより、ヘッド３１のノズルの欠損や吐出状態の判断が可能となる。なお、ノズルの欠損と判断された場合には、インクジェット記録装置１は、ヘッドユニット３０を維持ユニット５０上に移動させてヘッド３１やノズルの回復動作を実行させても良い。また、吐出状態に問題がないと判断された場合には、インクジェット記録装置１は、上記の回復動作を実行せずに印刷を開始させても良い。
【００３５】
＜＜＜制御部のハードウェア構成及び機能構成＞＞＞
本実施形態のインクジェット記録装置１の制御部７０のハードウェア構成及び機能構成について、図８を用いて説明する。図８は、本実施形態のインクジェット記録装置１の制御部７０を説明するためのブロック図である。
【００３６】
本実施形態のインクジェット記録装置１の制御部７０は、インクジェット記録装置１全体の動作を制御するＣＰＵ１０１、所定のプログラムを記憶したＲＯＭ１０２、ＣＰＵ１０１のワークエリアとして使用されるＲＡＭ１０３、インクジェット記録装置１の電源が遮断されている間もデータを保持する不揮発性メモリ（ＮＶＲＡＭ）１０４、画像データに対する各種信号処理、並び替え等の画像処理、又はインクジェット記録装置１全体を制御するための入出力信号を処理するＡＳＩＣ（Application Specific Integrated Circuit）１０５、ホストコンピュータ等の外部機器とのデータ、信号の送受信を行うためのＩ／Ｆ（Interface）１０６、検知装置６０の検知波形を入力するためのＩ／Ｏ（Input/Output）ポート１０７を有する。
【００３７】
また、インクジェット記録装置１の制御部７０は、ＲＯＭ１０２に記憶されているプログラムに従ったＣＰＵ１０１からの命令によって動作することで実現される、搬送制御部７１と、ヘッド制御部７２と、維持制御部７３と、検知制御部７４と、液量決定部７５とを有する。
【００３８】
搬送制御部７１は、ＲＯＭ１０２に記憶されているプログラムに従ったＣＰＵ１０１からの命令によって、給紙ユニット１０、及び搬送ユニット２０の動作を制御する。例えば、搬送制御部７１が、給紙を開始する旨の信号を送信することで、給紙ユニット１０の給紙ローラは給紙トレイに積載された用紙を一枚ずつ給紙する。また、搬送制御部７１が、用紙の搬送を開始する旨の信号を送信することで、搬送ユニット２０の駆動ローラ２１が駆動して搬送ベルト２３が周回移動する。
【００３９】
ヘッド制御部７２は、ＲＯＭ１０２に記憶されているプログラムに従ったＣＰＵ１０１からの命令によって、ヘッドユニット３０の動作を制御する。例えば、ヘッド制御部７２は、ヘッド３１のピエゾ素子を駆動制御するための駆動波形を生成し、インクを吐出する制御を行う。
【００４０】
維持制御部７３は、ＲＯＭ１０２に記憶されているプログラムに従ったＣＰＵ１０１からの命令によって、維持ユニット５０の動作を制御する。例えば、維持制御部７３は、ヘッド３１をキャップする旨の信号を送信することで、維持ユニット５０のキャップでヘッドユニット３０のヘッド３１をキャップする制御を行う。
【００４１】
検知制御部７４は、ＲＯＭ１０２に記憶されているプログラムに従ったＣＰＵ１０１からの命令によって、検知装置６０の動作を制御する。例えば、検知制御部７４は、レーザ光を発光する旨の信号を送信することで、発光ユニット６１のレーザダイオード６３を発光させる制御を行う。
【００４２】
液量決定部７５は、ＲＯＭ１０２に記憶されているプログラムに従ったＣＰＵ１０１からの命令によって、検知装置６０によって出力された検知波形の面積（受光量）に基づき、液量を決定する。
【００４３】
＜＜実施形態の処理・動作＞＞
続いて、本実施形態に係るインクジェット記録装置１で液量の一例としてのインク滴Ｔの体積を決定する処理方法を図９乃至図１２を用いて説明する。図９は、液量決定の処理方法を示した処理フロー図である。図１０は、検知波形の模式図である。図１１は、ミー散乱における粒径と散乱光の強度の関係を示した説明図である。図１２は、受光ユニット６２の検知波形の模式図である。
【００４４】
この液量決定処理は、制御部７０のＩ／Ｏポート１０７が、検知装置６０の受光ユニット６２から出力された検知波形を受信することで開始する（ステップＳ１）。受光ユニット６２は、インク滴Ｔがレーザ光と交差し始めた時（ｔ１）から、交差し終える時（ｔ２）までの時間（Δｔ）前方散乱光を検知する。このため、受光ユニット６２から出力される検知波形は所定の面積を持ったものとなる（図１０参照）。
【００４５】
続いて、液量決定部７５は受光ユニット６２の検知波形の面積を算出する（ステップＳ２）。インク滴Ｔの検知波形の面積は、一般的に電圧変量を時間変量で積分した値で示される。ここで、検知波形の面積Ｓは次の式で求められる。
Ｓ＝１／２×（Δｔ×ΔＶ）
【００４６】
続いて、液量決定部７５は検知波形の面積値に基づいてインク体積を算出する（ステップＳ３）。インク滴Ｔの径とレーザ光の波長の関係から、レーザ光をインク滴Ｔに照射した場合には、ミー散乱による光の散乱現象が発生すると考えられる。図１１に示されるように、ミー散乱においては、粒径が大きくなるにつれて、光軸方向の前方散乱光は大きくなる。これにより、受光部の検知波形の面積はインク滴Ｔの大きさに応じて大きくなる。例えば、インクの小滴（３ｐｌ）、中滴（１０ｐｌ）、大滴（２０ｐｌ）のレーザ光の光軸方向の前方散乱光の検知波形は図１２のようになる。この場合、検知波形の面積値はインク断面積にほぼ比例する。このため、検知波形の面積値Ｓをインク滴Ｔの断面積としてインク体積Ｖを算出することができる。
Ｖ＝３／４×Ｓ１．５
【００４７】
なお、直接光の影響を避けようとした場合には、受光ユニット６２において、フォトダイオード６６をレーザ光の光軸から離して配置した方が良いようにも考えられる。ところが、フォトダイオード６６を光軸から離して配置した場合には、インク滴Ｔの体積を正確に算出できなくなる。その理由について図１３及び図１４を用いて説明する。図１３は、インクジェット記録装置の印刷位置に配置された比較例に係る検知装置の模式図である。図１４は、比較例に係る検知装置の受光ユニットの検知波形である。
【００４８】
図１３の検知装置は、フォトダイオード６６を光軸Ｘから垂直方向にずらして配置させた点で本実施形態の検知装置６０とは異なる。ミー散乱においては、粒径が大きくなるにつれて光軸から離れた位置に散乱する光Ａは大きくなるが（図１１参照）、その増加量は光軸Ｘ方向の散乱光と比較して小さい。例えば、小滴（３ｐｌ）、中滴（１０ｐｌ）、大滴（２０ｐｌ）のインク滴Ｔによる検知波形は図１４のようになる。即ち、粒径が大きくなると、検知波形の面積値の変化が小さくなるため、インク体積の算出が困難になる。
【００４９】
＜＜実施形態の補足＞＞
上記実施形態では、液量決定部７５はインクジェット記録装置１の制御部７０に備えられていた。しかしながら、本発明は、上記実施形態に限られるものではない。液量決定部７５は、外部の情報処理装置に備えられていても良い。この場合、インクジェット記録装置１の受光ユニット６２の検知波形は、外部の情報処理装置に送信され、外部の情報処理装置の液量決定部７５によってインク滴Ｔの液量が決定される。
【００５０】
また、上記実施形態では、フォトダイオード６６の受光面上に、レーザ光を遮光するためのマスク６７が設けられていた。しかしながら、本発明は、上記実施形態に限られるものではない。他の実施形態について図１５を用いて説明する。図１５は、フォトダイオード６６の他の例を示す模式図である。図１５のフォトダイオード６６には、レーザ光Ｌが通過する通過部６９が形成されている。通過部６９は、空間であっても、ガラスやプラスチックのようなレーザ光が通過する材料であっても良い。これにより、フォトダイオード６６は、レーザ光を受光せず、インク滴Ｔがレーザ光を交差した際に発生する前方散乱光を受光することができる。なお、通過部６９の形状は四角形に限定されず、四角形以外の多角形または円形、楕円形等であっても良い。
【００５１】
＜＜実施形態の主な効果＞＞
以上説明したように、上記実施形態の検出装置６０は、インク滴Ｔがレーザ光を交差した際に発生する散乱光を受光するフォトダイオード６６と、レーザ光がフォトダイオード６６を照射することを遮るマスク６７とを有する。これにより検出装置６０は、フォトダイオード６６で受光された前方散乱光の受光量に基づいてインク滴Ｔの体積を決定する。本実施形態の検出装置６０は、レーザ光の光線を遮る量に基づいてインク滴Ｔの体積を算出しないので、インク滴以外の物質が光線を遮った場合に、光線の遮断が誤検知されて、インク滴の体積を誤って算出してしまうことを防げるという効果を奏する。
【００５２】
また、上記実施形態の検出装置６０のマスク６７は、フォトダイオード６６上に設けられている。これにより、レーザ光がフォトダイオード６６を直接照射することを遮ることができるという効果を奏する。
【００５３】
また、上記実施形態の検出装置６０のマスク６７の部材は、レーザ光を反射せず吸収する黒色の部材である。これによりレーザ光の反射や外乱によって発生する検知の誤差を抑制することができる。
【００５４】
また、上記実施形態の検出装置６０のフォトダイオード６６は、レーザ光を直接受光しないように、環状に形成されものに置き換えられる。これにより、マスク６７を設けなくてもフォトダイオード６６が、レーザ光を受光せず、光軸近傍の前方散乱光を受光することが可能となるという効果を奏する。
【符号の説明】
【００５５】
１  インクジェット記録装置
１０  給紙ユニット
２０  搬送ユニット
２１  駆動ローラ
２２  従動ローラ
２３  搬送ベルト
２４  吸引ファン
２５  廃液ユニット
２６  吸引孔
３０  ヘッドユニット（吐出手段の一例）
３１  ヘッド
４０  排紙ユニット
５０  維持ユニット
６０  検知装置
６１  発光ユニット（発光手段の一例）
６２  受光ユニット（受光手段の一例）
６３  レーザダイオード
６４  コリメートレンズ
６５  アパーチャ
６６  フォトダイオード
６７  マスク（遮光手段の一例）
６８  受光部回路
６９  通過部
７０  制御部
７１  搬送制御部
７２  ヘッド制御部
７３  維持制御部
７４  検知制御部
７５  液量決定部（決定手段の一例）
【先行技術文献】
【特許文献】
【００５６】
【特許文献１】特開２００３−１２７４３０号公報
【特許文献２】特開２００５−２８０３５１号公報
【図１】
2013063601.tif 000003
【図２】
2013063601.tif 000004
【図３】
2013063601.tif 000005
【図４】
2013063601.tif 000006
【図５】
2013063601.tif 000007
【図６】
2013063601.tif 000008
【図７】
2013063601.tif 000009
【図８】
2013063601.tif 000010
【図９】
2013063601.tif 000011
【図１０】
2013063601.tif 000012
【図１１】
2013063601.tif 000013
【図１２】
2013063601.tif 000014
【図１３】
2013063601.tif 000015
【図１４】
2013063601.tif 000016
【図１５】
2013063601.tif 000017